(57)【要約】【課題】  本考案は、圧力調整が容易な構造であることから安全性や耐久性が向上すると共に、全体としてみた場合のスペースの削減により安価で小型なアクチュエーターを提供する。【解決手段】  本考案のアクチュエーターＡは、シリンダチューブ４内に位置して往復動するピストンロッド１と、このピストンロッド１に設けられシリンダチューブ４内を前方シリンダ室８と後方シリンダ室９とに区分けするピストン２と、このピストン２内に位置して前方シリンダ室８と後方シリンダ室９とを遮断又は開放するリリーフ弁５と、ピストン２内に位置してピストン２の行程端を検知してリリーフ弁５を開放する開放機構７を有するものである。【選択図】図１
0003231080.tif 000002
【実用新案登録請求の範囲】
【請求項１】
シリンダチューブ（４）内に位置して往復動するピストンロッド（１）と、このピストンロッド（１）に設けられ前記シリンダチューブ（４）内を前方シリンダ室（８）と後方シリンダ室（９）とに区分けするピストン（２）と、このピストン（２）内に位置して前記前方シリンダ室（８）と前記後方シリンダ室（９）とを遮断又は開放するリリーフ弁（５）と、前記ピストン（２）内に位置して前記ピストン（２）の行程端を検知して前記リリーフ弁（５）を開放する開放機構（７）を有することを特徴とするアクチェーター。
【考案の詳細な説明】
【技術分野】
【０００１】  本考案は、例えばジャッキ装置に使用することができるアクチュエーターに関するものである。
【背景技術】
【０００２】  油などの作動液により操作されてジャッキ装置などに使用するアクチュエーターが知られている（下記特許文献参照）。
【先行技術文献】
【特許文献】
【０００３】
【特許文献１】特開２０１９−９２４５５号公報
【特許文献２】特開２０２０−１０３１３６号公報
【考案の概要】
【考案が解決しようとする課題】
【０００４】  斯かる先行技術文献で知られているアクチュエーターは、片ロッド式の往復動液圧構造を有し、ピストンによって隔てられた後方シリンダ室に作動液を送り、前方シリンダ室から作動液を排出することでピストンロッドを押し出し、アクチェーターとしての機能を果たしている。【０００５】  また、前方シリンダ室に作動液を送り、後方シリンダ室から作動液を排出することでアクチェーターはピストンロッドを引き込む動作を実現している。【０００６】  斯かる従来構造では、後方シリンダ室に作動液を送り、前方シリンダ室からの作動液の排出が、接続不良などでできない場合、前方シリンダ室の圧力は、前方シリンダ室の受圧面積＜後方シリンダ室の受圧面積の関係にあるため、前方シリンダ室の圧力＞後方シリンダ室の圧力となり、前方シリンダ室側の圧力がポンプから供給される圧力を超えた状況となる。【０００７】  その結果として、想定した設計荷重（＝ポンプから供給される圧力）を超えることで、アクチュエーターや接続配管（ホースを含む）の破裂などの事故につながる事例（前方シリンダ室の倍圧状態）が生じていた。【０００８】  また、ピストンロッドを押し出す工程では、行程端ではアクチェーターの押し出し能力（押し力）のすべてをロッドカバー部が受けることで、破損に対する強度を確保するため、部品の寸法が大きくなる傾向があり、ピストンロッドの行程端に目印を付けたり、使用上の注意として「全ストロークを使用した、突上げ使用はできません。」といった注意喚起等を明示したりすることにより破損の回避を図っているという問題があった。
【課題を解決するための手段】
【０００９】  本考案は、このような問題を解決するために、新規なアクチュエーターとして、往復動するピストン内部に行程端を検知して、リリーフ弁を開放する機能を併せ持つものである。
【考案の効果】
【００１０】  本考案に係るアクチュエーターによれば、耐久性を高めることができると共に、限られたスペースに２つの機能を持たせたことで、加工工数削減によるコストダウンや、アクチュエーター全体としてみた場合のスペースの削減が期待できる。
【図面の簡単な説明】
【００１１】
【図１】  本考案の一実施例の要部断面図である。
【図２】  本考案の他の実施例の要部断面図である。
【考案を実施するための形態】
【００１２】  本考案のアクチュエーターは、シリンダチューブ内に位置して往復動するピストンロッドと、このピストンロッドに設けられ前記シリンダチューブ内を前方シリンダ室と後方シリンダ室とに区分けするピストンと、このピストン内に位置して前記前方シリンダ室と前記後方シリンダ室とを遮断又は開放するリリーフ弁と、前記ピストン内に位置して前記ピストンの行程端を検知して前記リリーフ弁を開放する開放機構を有する構造であり、圧力調整が容易な構造であることから耐久性が向上すると共に、アクチュエーター全体としてみた場合のスペースの削減により安価で小型なアクチュエーターを提供することができる。
【実施例】
【００１３】  以下、添付図面に基づいて本考案を説明する。【００１４】  図１、２は、本考案に関する各実施例の要部を示すものであって同一箇所には同じ符号を付しており、アクチュエーターＡは、シリンダチューブ４内に位置して作動液の液圧により往復動するピストンロッド１を有し、このピストンロッド１の本体であってシリンダチューブ４内を前方シリンダ室８と後方シリンダ室９とに区分けするピストン２を有し、このピストン２内に位置して前方シリンダ室８と後方シリンダ室９とを遮断又は開放するリリーフ弁５を有し、ピストン２内に位置してピストン２の行程端を検知してリリーフ弁５を開放する開放機構７を有している。【００１５】  １０、１１は、前方シリンダ室８と後方シリンダ室９へ作動液Ｘ、Ｙを入れるポートであり、作動液Ｘをポート１０へ入れると前方シリンダ室８が拡張されてピストンロッド１は図面右方向へ移動し、作動液Ｙをポート１１へ入れると後方シリンダ室８が拡張されてピストンロッド１は図面左方向へ移動する。【００１６】  リリーフ弁５は、図１の一実施例ではピストンロッド１の往復動の方向に対して所定の角度を有するように配置されており、図２の他の実施例では略平行に配置されているが、何れの構造であっても構わない。【００１７】  開放機構７は、ピストン２の位置を検知して、ピストン２が図面左方向の行程端に達したときにリリーフ弁５のバネ圧により前方シリンダ室８と後方シリンダ室９とを遮断している逆止弁たるボール６を押す押し棒で構成されている。【００１８】  すなわち、ピストン２が前記行程端に達したときに、押し棒７の一端がシリンダチューブ４の内部構造に当接して多端がボール６を図面右方向へ押すことにより、通常はバネ圧により前方シリンダ室８と後方シリンダ室９とを遮断しているリリーフ弁５は、ボール６と共に図面右方向へ押されて前方シリンダ室８と後方シリンダ室９とを開放する。【００１９】  このように、ピストンロッド１のピストン２内部に行程端を検知して、リリーフ弁５を開放する押し棒７たる機能を有することにより、シリンダチューブ４の破壊を防ぐことができアクチュエーターＡの耐久性を高めることができる。【００２０】  また、限られたスペースに前方シリンダ室８と後方シリンダ室９と遮断又は開放する機能を持たせたことで、加工工数削減によるコストダウンや、アクチュエーター全体としてみた場合のスペースの削減が期待できる。【００２１】  なお、本考案は、ピストン２の２個所にリリーフ弁５、逆止弁６、押し棒７からなるセットを設けているが、２個所に限らないことは言うまでもない。
【符号の説明】
【００２２】Ａ  アクチュエーター
１  ピストンロッド
２  ピストン
３  ロッドカバー
４  シリンダチューブ
５  リリーフ弁
６  逆止弁
７  押し棒（解放機構）
８  前方シリンダ室
９  後方シリンダ室
１０、１１  ポート
Ｘ、Ｙ  作動液
【図１】
0003231080.tif 000003
【図２】
0003231080.tif 000004